(57)【特許請求の範囲】
【請求項１】
動物あるいはキャラクター人形や、植物その他の各種形態からなる装飾用の玉において、
該装飾用の玉は比較的軟質のプラスチック材あるいはゴム材により形成され、
前記装飾用の玉の一の部分には、連結バーが一体に突設され、
前記連結バーは、所定の長さに形成された円柱部と、該円柱部の長さ方向の両端部のそれぞれに形成された膨出部と、を有してなり、その長さ方向の一方側の略半分が前記装飾用の玉内に埋設され、他方側の略半分が前記装飾用の玉の外方に向けて突出し、
前記各膨出部は、先端部をやや尖らせるとともに、基端部を前記円柱部に対して外周方向に向かって膨出させて、断面が略三角形の鏃状に形成され、前記基端部に形成された引っ掛かり段部を有し、
前記引っ掛かり段部は、前記円柱部にかけて丸みをおびた形状を有し、
前記装飾用の玉の他の部分には、他の装飾用の玉の前記膨出部と嵌合する凹部が形成され、
前記凹部は、前記膨出部に対応する形状に形成された内奥部と、該内奥部の内径より小さい内径により形成された開口部と、を有していることを特徴とした装飾用の玉。
【発明の詳細な説明】
【技術分野】
【０００１】
本発明は身飾また携帯電話やバッグ類に取り付け、あるいは部屋飾り等各種の用途に用いられる装飾用の玉および該装飾用の玉の結合方法に関する。
【背景技術】
【０００２】
装飾玉は、通常は連結金具などを介在させて複数個繋げた状態で、これをストラップにより吊下げ使用されることが多い（例えば特開２００９−２６８５９４号公報参照）。またワイヤーや紐に引き通して複数の装飾玉を繋げて使用するものも普通に見かける（例えば特開２００５−３２３７５３号公報、特開２００７−２０２６２９号公報参照）。
【０００３】
さらに、それらの連繋させた装飾用玉のワイヤー等の端末部を吊下げや環状化などの目的で固定する手段としては、例えばワイヤーの端末を折り返し挿通した一方の金具を他方の金具内にスチールボールを介持させた状態にて締め付けることにより、ワイヤーの折り返し部分をスチールボールによって上記した一対の金具間に締め付け固定するようにした端末固定金具も知られている（例えば実開平６−７９３１４号公報参照）。
【先行技術文献】
【特許文献】
【０００４】
【特許文献１】特開２００９−２６８５９４号公報
【特許文献２】特開２００５−３２３７５３号公報
【特許文献３】特開２００７−２０２６２９号公報
【特許文献４】実開平６−７９３１４号公報
【発明の概要】
【発明が解決しようとする課題】
【０００５】
しかしながら、特許文献１のように複数個の装飾玉を連結金具などを介在させて繋げる場合にはコスト高となるばかりでなく、細かい加工作業を必要とするために一般需要者・購入者には不向きであり、通常は複数個の装飾玉と吊下げストラップ等を一体化した状態で販売されることが多い。
【０００６】
また特許文献２や特許文献３のように、複数の装飾玉を連繋させる手段としてワイヤーや紐等を用いる場合においても、それらの端末処理が容易ではなく、その加工には一般需要者向きではない。さらに特許文献４のようにワイヤーや紐等の端末部にスチール製のボールを介持させた一対の金具間に締め付け固定するようにした場合においても、部品が細かいために同じく一般購入者による加工作業には不向きである。
【課題を解決するための手段】
【０００７】
そこで本発明は、従来技術では不向きとされる装飾用玉の一般購入者による連繋作業を容易にすることにより、多種類の装飾玉のうち、それぞれ1個単位での販売を可能にし、これにより購入者による装飾玉の選択の範囲および複数種の装飾玉および数の自由な組み合わせとを可能とし、需要者の趣味範囲を著しく拡大することができるようにしたものである。
【０００８】
具体的には、動物あるいはキャラクター人形や、植物その他の各種形態からなる装飾用の玉において、該装飾用の玉は比較的軟質のプラスチック材あるいはゴム材により形成され、前記装飾用の玉の一の部分には、連結バーが一体に突設され、前記連結バーは、所定の長さに形成された円柱部と、該円柱部の長さ方向の両端部のそれぞれに形成された膨出部と、を有してなり、その長さ方向の一方側の略半分が前記装飾用の玉内に埋設され、他方側の略半分が前記装飾用の玉の外方に向けて突出し、前記各膨出部は、先端部をやや尖らせるとともに、基端部を前記円柱部に対して外周方向に向かって膨出させて、断面が略三角形の鏃状に形成され、前記基端部に形成された引っ掛かり段部を有し、前記引っ掛かり段部は、前記円柱部にかけて丸みをおびた形状を有し、前記装飾用の玉の他の部分には、他の装飾用の玉の前記膨出部と嵌合する凹部が形成され、前記凹部は、前記膨出部に対応する形状に形成された内奥部と、該内奥部の内径より小さい内径により形成された開口部と、を有していることを特徴とした装飾用の玉に関する。
【０００９】
また本発明は、一部に外方に向けて突出させた一定長さの連結バーを、また他部には他の装飾用の玉の上記連結バーを挿入嵌合可能な凹部を形成してなる装飾用の玉と、下方に固定部を有し、該固定部に前記装飾用玉の連結バーを挿入嵌合可能な凹部を形成してなる吊下げ部品とからなり、装飾用の玉の連結バーを別の装飾用の玉の凹部または吊下げ部品の固定部に形成した凹部内に挿入嵌合させるようにした装飾用の玉の結合方法にも関する。
【００１０】
さらに連結バーの先端部には凹部内に挿入した際に凹部内奥部に嵌合可能な膨出部を形成してなる装飾用の玉あるいは装飾用の玉の接合方法に関する。
【発明の効果】
【００１１】
本発明は上記したように、装飾用の玉において、装飾用の玉の一の部分に連結バーを突出させるとともに、他の部分には上記連結バーの膨出部に対応する形状であって連結バーの膨出部を挿入嵌合可能な凹部を形成してなるために、装飾用の玉の連結バーの膨出部を別の装飾用の玉の凹部または吊下げ部品の固定部に形成した凹部内に挿入嵌合させることにより、複数の同種または異種の装飾用の玉を購入者自ら簡単に連繋させ、また任意に取り外してその全部または一部を別の装飾用の玉に交換することができる。
【００１２】
その結果、あらかじめワイヤー等により連繋され、吊下げストラップ等と一体的に加工された一連結合のものを選択して購入する場合に比して、需要者の装飾用の玉の選択の範囲がきわめて広範に拡大され、より一層自己の趣味感に沿った装飾体を得ることが可能になりまた連繋内容の変更も可能となる。
【図面の簡単な説明】
【００１３】
【図１】本発明の一実施例である装飾用の玉の拡大正面図。
【図２】図１にあらわした装飾用の玉の底面図（頭底部）。
【図３】装飾用の玉同士の連繋直前の状態をあらわした拡大正面図。
【図４】３個の装飾用の玉を連繋させた状態の斜視図。
【図５】装飾用の玉と吊下げ部品の固定部との結合直前の状態をあらわした断面図。
【図６】２個連繋させた装飾用の玉を吊下げ部品の固定部に結合させた状態の断面図。
【図７】複数の装飾用の玉を用いた装飾体の一例をあらわした正面図。
【発明を実施するための形態】
【００１４】
以下において本発明の具体的な内容を説明すると、１は装飾用の玉をあらわし、頭頂部には連結バー２が上方に向けて突設され、また頭底部には上記した頭頂部の連結バー２の大きさに対応させた凹部５が形成されている。装飾用の玉１は比較的軟質のプラスチック材あるいはゴム材により構成される。
【００１５】
装飾用の玉１の材質に関しては、とくに後記する凹部５にあっては連結バー２が挿入された際にその先端の膨出部４が凹部５の内奥部に形成された径大嵌合部５ａに嵌合するとともに、少し強い力をもって比較的容易に径大嵌合部５ａより膨出部４が離脱して連結バーを容易に引き抜くことができる程度の硬さと弾力性を有するのが好ましく、あらかじめ型どりされた成形型内に溶融プラスチック材を流し込むことにより量産される。
【００１６】
装飾用の玉１は、この場合に例えばキャラクター等の人形、あるいは動物類の頭部のみ、あるいはその全身、または全身で座らせた状態やその他独特のポーズをとらせた状態のもの、さらには野菜等植物類等の全体部またはその花部分のみ等の一部分、あるいは各種の貴金属類等の種類を問わず装飾的外観を呈するものであれば広く対象とすることができる。
【００１７】
また形状が同種のものであっても外観色彩が異なるものや、あるいは表面あるいは背面に特定の１文字（例えば「い」「ろ」「は」や、「Ａ」「Ｂ」「Ｃ」、「福」「禄」「寿」など）や異なる図柄を施したものであっても、複数個の装飾用の玉１を購入する文字集めで自分の名前や所属、好きな言葉などをあらわす文字があらわされている玉、あるいは外観の異なる複数個の装飾用の玉１を集めるなどの用い方ができる。
【００１８】
連結バー２は、本実施例では図５に断面であらわしたように一定の長さを有するバー３を中心とし、しかも該バー３の長さ方向における両端部には外周方向に膨出させた膨出部４を有しており、長さ方向略半分を装飾用の玉１内に一体に埋設させることにより上半分を頭頂部から上方に向けて突出させている。
【００１９】
なお上記した少なくとも上端に位置する膨出部４については、略断面三角形の鏃状でもよいが、引き抜き時の抵抗を軽減させるために、膨出部４の膨出先端に丸みを持たせるのが望ましい。そのような意味から上端部を比較的尖らせるとともに次第にバー３の外周径よりも外周方向に向けて傾斜状態に大きく膨らませた構成とし、その結果膨出部４の下部にはバー３にかけて丸みをおびた引っ掛かり段部４aが形成されており、これにより連結バー２が槍状に構成される。
【００２０】
一方頭底部に形成された凹部５は、上記した頭頂部の連結バー２の大きさに対応させた形状となっており、凹部５の内奥部には上記した連結バー２の膨出部４の形状に対応し、凹部５の開口部内径よりも大きな径大嵌合部５ａが形成されている。
【００２１】
また図５以下において６は装飾用の玉１を吊下げるための固定部あらわし、該固定部６は本実施例では内部中空に形成されており、下方には既述したバー３より僅かに径大で、膨出部４が無理通過可能な開口部７を有するとともに、その内奥部には開口部７より径大な嵌合室７ａが形成され、さらに嵌合室７ａと開口部７との間には傾斜断部７ｂが形成されている。
【００２２】
なお図５〜７において９は、装飾用の玉１を吊下げる手段の一例としてのストラップ紐をあらわしており、ストラップ紐９の先端部を上記した固定部６の上端に設けた嵌合室７ａ内に通じる通孔８内に挿入して先端部を結ぶことによりコブを作って固定部６の嵌合室７ａ内上端に保持させることができるようになっている。なおこの場合の吊下げ手段としては、上記したストラップ紐９に限られるものではなく、ワイヤーや単純な１本の紐などでもよい。
【００２３】
上記した各部の構成において、図３にあらわしたように１個の装飾用の玉１を別の装飾用の玉１の下方に、頭頂に突出させた連結バー２を上方の装飾用の玉１の頭底部に設けた凹部５に向けて配置し、さらに連結バー２の先端を上方の装飾用の玉１の凹部５内に無理嵌装（挿入）させることにより図４あるいは図６にもあらわしたように順次複数の装飾用の玉１を連繋させることができる。
【００２４】
連繋させた装飾用の玉１の連結バー２は、その先端に有する膨出部４が別の装飾用の玉１の凹部５の内奥に形成された径大嵌合部５ａ内に嵌合し段部４ａが凹部５に引っ掛かることにより不用意には抜けることがない。また上方の装飾用の玉１には、その上端に突出させた連結バー２に吊下げ手段、すなわち本発明の実施例においてはストラップ紐９の固定部６を取り付ける。
【００２５】
すなわち、固定部６の下部開口部７を先頭に連結バー２の上端から無理嵌め合させ、膨出部４を嵌合室７ａ内に挿入する。嵌合室７ａ内に装入された連結バー２は、その段部４ａが固定部６内の傾斜段部７ｂに係合して不用意に抜け出すことはない。
【００２６】
上記した要領により複数の装飾用の玉１を連繋させ、また上方の装飾用の玉１にストラップ紐９などの固定部６を固定させた状態（例えば図７の状態）として装飾体を構成し、これを例えば部屋飾りや携帯電話あるいはバッグ類その他の身飾品等に取り付けて用いることができる。
【００２７】
なおこの場合における複数の装飾用の玉１の形状については必ずしも同一のものでなくてもよく、異種の装飾用の玉１を複数連繋させた状態で用いることもできる。また上記の実施例においては連結バー２を装飾用の玉１の頂部に植立させるとともに、底部に上記連結バー２に対応する凹部５を形成する構成としたが、これを逆にして底部に連結バー２を、先端を下方に向けて突出させるとともに頂部にこれに対応する凹部５を形成するようにしてもよい。
【００２８】
さらに装飾用の玉１の連繋手段としては、上記以外にも装飾用の玉１の片側側面に横方向に向けて連結バー２を突出させるとともに、反対側側面に、上記連結バーに対応する凹部５を形成するようにしてもよい。また連結バー２と凹部５の形成は必ずしも一対である必要はない。
【００２９】
たとえば装飾用の玉１の頂部に連結バー２を突設させるとともに、左右の側面にこれに対応する凹部５を設けるようにし、あるいは左右の側面の少なくとも一方に連結バー２を突設させ、頂部や斜め下方部等にこれに対応させた凹部５を少なくとも１箇所形成するなど、連結バー２および凹部５の設置数や設置位置については装飾用の玉１のどの部分にどのように設けるようにしてもよく、装飾用の玉１を縦横に、あるいは斜め方向を含めて自在な連繋を可能とし、要は需要者（購買者）の趣味感に応じて多種の自在に構成したものを用意することができる。
【符号の説明】
【００３０】
１      装飾用の玉
２      連結バー
３      バー
４      膨出部
４ａ    段部
５      凹部
５ａ    径大嵌合部
６      固定部
７      開口部
７ａ    嵌合室
７ｂ    傾斜段部
８      通孔
９      ストラップ紐
【図１】
0005616136.tif 000002
【図２】
0005616136.tif 000003
【図３】
0005616136.tif 000004
【図４】
0005616136.tif 000005
【図５】
0005616136.tif 000006
【図６】
0005616136.tif 000007
【図７】
0005616136.tif 000008